(57)【要約】【課題】コストダウン及び省スペース化を実現させた鍵管理機における鍵管理解除装置を提供する。【解決手段】ソレノイド９の回動リンク５への作用により、ラッチプレート３ａ〜３ｅが回動し、それぞれの突起部がホルダー１ａ〜１ｅの孔部から引き抜かれる。この状態は、全てのホルダー１ａ〜１ｅが挿入穴２ａ〜２ｅから抜き出し可能である。この状態で、ホトインタラプタ１０が、設定とは異なるホルダー１ａを抜き出そうとしていることを検知すると、ソレノイド９の作用が停止され、ラッチプレート３ａが回動し、突起部３ａ１が孔部１ａ３に挿入される。この状態でホルダー１ａを抜き出そうとしても、突起部３ａ１が孔部１ａ３に引っ掛かるので、ホルダー１ａを抜き出すことはできない。【選択図】図５
2010270499.tif 000002
【特許請求の範囲】
【請求項１】
鍵が取り付けられる複数の鍵管理部材と、
各鍵管理部材用のラッチプレートと、
該ラッチプレートの少なくとも２つと接続された少なくとも１つのリンク部材と、
該リンク部材に連結された少なくとも１つのソレノイドと、
各鍵管理部材用の抜出検知手段と
を備えた鍵管理機における鍵管理解除装置であって、
前記ラッチプレートには、前記鍵管理部材を前記鍵管理機から取り外す際の前記鍵管理部材の移動方向に沿って間隔を空けて設けられた少なくとも２つの突起部が設けられ、
前記鍵管理部材には、前記突起部の全てが挿入可能な孔部が設けられ、
前記鍵管理機から前記複数の鍵管理部材のうちの１つを抜き出すとき、抜き出すべき鍵管理部材用の前記ラッチプレートに接続された前記リンク部材を前記ソレノイドが作用させて、前記リンク部材に接続された各ラッチプレートの突起部を前記孔部から引き抜くことにより、前記鍵管理部材を抜き出し可能にした後、前記抜き出すべき鍵管理部材以外の鍵管理部材が抜き出され始めたことを前記抜出検知手段が検知したら、前記ソレノイドの作用を停止させて前記突起部のうちの少なくとも１つを前記孔部に挿入させる、鍵管理機における鍵管理解除装置。
【請求項２】
前記ラッチプレートの全てが１つのリンク部材に接続され、該リンク部材に１つのソレノイドが接続されている、請求項１に記載の鍵管理機における鍵管理解除装置。
【発明の詳細な説明】
【技術分野】
【０００１】
この発明は、鍵管理機における鍵管理解除装置に関する。
【背景技術】
【０００２】
従来の鍵管理機の構成が特許文献１に開示されている。この鍵管理機における鍵管理解除装置は、鍵を取り付けた鍵管理部材と、鍵管理部材に設けられた凹部に係合可能な爪部と、爪部を可動させるソレノイドとから構成されている。ソレノイドが爪部を凹部に係合させると、鍵管理部材を鍵管理機から取り外すことができなくなると共に、ソレノイドが爪部と凹部との係合を解除すると、鍵管理部材を鍵管理機から取り外すことができるようになっている。
【先行技術文献】
【特許文献】
【０００３】
【特許文献１】特開平５−１５６８４７号公報
【発明の概要】
【発明が解決しようとする課題】
【０００４】
しかしながら、このような従来の鍵管理機における鍵管理解除装置には、各鍵管理部材と同じ数のソレノイドが必要となる。ソレノイドは高価であるため、鍵管理機のコストが高くなってしまうと共に、ソレノイドを設けるスペースが必要となるため、鍵管理機が大型化してしまうといった問題点があった。
【０００５】
この発明はこのような問題点を解決するためになされたもので、コストダウン及び省スペース化を実現させた鍵管理機における鍵管理解除装置を提供することを目的とする。
【課題を解決するための手段】
【０００６】
この発明に係る鍵管理機における鍵管理解除装置は、鍵が取り付けられる複数の鍵管理部材と、各鍵管理部材用のラッチプレートと、該ラッチプレートの少なくとも２つと接続された少なくとも１つのリンク部材と、該リンク部材に連結された少なくとも１つのソレノイドと、各鍵管理部材用の抜出検知手段とを備えた鍵管理機における鍵管理解除装置であって、前記ラッチプレートには、前記鍵管理部材を前記鍵管理機から取り外す際の前記鍵管理部材の移動方向に沿って間隔を空けて設けられた少なくとも２つの突起部が設けられ、前記鍵管理部材には、前記突起部の全てが挿入可能な孔部が設けられ、前記鍵管理機から前記複数の鍵管理部材のうちの１つを抜き出すとき、抜き出すべき鍵管理部材用の前記ラッチプレートに接続された前記リンク部材を前記ソレノイドが作用させて、前記リンク部材に接続された各ラッチプレートの突起部を前記孔部から引き抜くことにより、前記鍵管理部材を抜き出し可能にした後、前記抜き出すべき鍵管理部材以外の鍵管理部材が抜き出され始めたことを前記抜出検知手段が検知したら、前記ソレノイドの作用を停止させて前記突起部のうちの少なくとも１つを前記孔部に挿入させる。
前記ラッチプレートの全てが１つのリンク部材に接続され、該リンク部材に１つのソレノイドが接続されてもよい。
【発明の効果】
【０００７】
この発明によれば、ソレノイドの数を低減することができるので、コストダウン及び省スペース化を実現させることができる。
【図面の簡単な説明】
【０００８】
【図１】この発明の実施の形態に係る鍵管理機における鍵管理解除装置の主要な構成を示す平面図である。
【図２】この実施の形態に係る鍵管理機に使用される鍵管理部材の平面図、側面図、正面図である。
【図３】この実施の形態に係る鍵管理機に設けられたラッチプレート周辺の構成を示す拡大側面図である。
【図４】この実施の形態に係る鍵管理機に鍵管理部材を取り付ける動作を説明するための図である。
【図５】この実施の形態に係る鍵管理機から鍵管理部材を抜き出す動作を説明するための図である。
【図６】この実施の形態に係る鍵管理機における鍵管理解除装置の変形例の主要な構成を示す平面図である。
【発明を実施するための形態】
【０００９】
以下、この発明の実施の形態を添付図面に基づいて説明する。
この発明の実施の形態に係る鍵管理機における鍵管理解除装置の主要な構成を、図１に示す。鍵管理部材である５つのホルダー１ａ，１ｂ，１ｃ，１ｄ，１ｅはそれぞれ、鍵管理機に設けられた５つの挿入穴２ａ，２ｂ，２ｃ，２ｄ，２ｅ内に、後述する機構によって取り外し可能に取り付けられている。
【００１０】
図２（ａ）に示されるように、ホルダー１ａは、矩形板状のホルダー本体１ａ１を有している。ホルダー本体１ａ１には、その長手方向軸Ｌに沿って間隔をあけて２つの孔部１ａ２，１ａ３が形成されている。図２（ｂ）及び（ｃ）に示されるように、一方の孔部１ａ２を覆うように、凸部１ａ４がホルダー本体１ａ１の一方の面に一体的に形成されている。凸部１ａ４には、ホルダー本体１ａ１の長手方向軸Ｌに対して垂直な方向に凸部１ａ４を貫通すると共に孔部１ａ２に連通した通し孔１ａ５が形成されている。この通し孔１ａ５に、鍵２０に取り付けられたリング２１を通すことにより、鍵２０がホルダー１ａに取り付けられている。尚、ホルダー１ｂ〜１ｅ（図１参照）も、ホルダー１ａと同じ形状を有しており、それぞれに同様の機構で鍵が取り付けられている。
【００１１】
図１を再び参照すると、挿入穴２ａ〜２ｅの上方にはそれぞれ、ラッチプレート３ａ，３ｂ，３ｃ，３ｄ，３ｅが設けられている。ラッチプレート３ａ〜３ｅには、それらのそれぞれを貫通するようにして、固定リンク４及び回動リンク５が接続されている。回動リンク５には、連結片６，６を介して、連結バー７が連結されている。連結バー７の中央部分には、Ｌ字形状の連結プレート８（図３参照）の一端が回動可能に接続され、連結プレート８の他端は、ソレノイド９に回動可能に接続されている。すなわち、ソレノイド９は、連結片６，６と、連結バー７と、連結プレート８とを介して、回動リンク５に、間接的に連結されている。
【００１２】
図３に、ラッチプレート３ａ周辺の構成を示す。固定リンク４は、その軸方向を中心に自転可能にラッチプレート３ａに接続され、回動リンク５は、固定リンク４を中心に回動可能にラッチプレート３ａに接続されている。ここで、固定リンク４及び回動リンク５は、リンク部材を構成する。ソレノイド９が連結プレート８を介して連結バー７を動かすと、連結バー７は、連結片６，６を介して、回動リンク５を、固定リンク４を中心に回動させる。すなわち、ソレノイド９は、間接的に回動リンク５を作用させる。これにより、ラッチプレート３ａ〜３ｅはそれぞれ、固定リンク４との接続部分を中心に回動するようになっている。ラッチプレート３ａの回動する端部には、ホルダー１ａの長手方向軸Ｌに沿って間隔をあけて２つの突起部３ａ１，３ａ２が設けられている。２つの突起部３ａ１，３ａ２は両方とも、ホルダー１ａに形成された孔部１ａ３内に同時に挿入可能になっており、ラッチプレート３ａの回動により、突起部３ａ１，３ａ２が孔部１ａ３から引き抜かれたり、孔部１ａ３に挿入されたりするようになっている。尚、ラッチプレート３ｂ〜３ｅ（図１参照）についても、ラッチプレート３ａと同じ構成及び同じ動作をするようになっている。
【００１３】
挿入穴２ａには、ホトインタラプタ１０が設けられている。ホトインタラプタ１０は、２つの検出部１０ａ，１０ｂによってホルダー１ａを挟み込むような形状を有している。検出部１０ａ，１０ｂ間には光線が通っており、ホルダー１ａが検出部１０ａ，１０ｂ間に挿入されて光線を遮ることにより、ホルダー１ａが挿入穴２ａに挿入されたことを検知することができるようになっている。逆に、ホルダー１ａを挿入穴２ａから抜き出そうとすると、検出部１０ａ，１０ｂ間に光線が通るようになるので、ホルダー１ａが挿入穴２ａから抜き出され始めたことを検知することができるようになっている。尚、挿入穴２ｂ〜２ｅ（図１参照）にも、同じホトインタラプタ１０が設けられており、ホルダー１ｂ〜１ｅがそれぞれ挿入穴２ｂ〜２ｅから抜き出され始めたことを検知することができるようになっている。ここで、ホトインタラプタ１０は、ホルダー１ａ〜１ｅがそれぞれ挿入穴２ａ〜２ｅから抜き出され始めたことを検知するための抜出検知手段を構成する。
【００１４】
次に、この実施の形態に係る鍵管理解除装置の動作について説明する。
まず、図４を参照しながら、ホルダー１ａを鍵管理機に取り付ける動作について説明する。尚、図４と、後述する図５とにおいて、ホルダー１ａに取り付けられている鍵２０及びリング２１（図２参照）は省略している。図４（ａ）に示されるように、ホルダー１ａを挿入穴２ａに挿入していくと、ホルダー１ａの端部がラッチプレート３ａの一方の突起部３ａ１に接する。この状態で、ホルダー１ａを挿入穴２ａにさらに挿入していくと、ホルダー１ａが突起部３ａ１を持ち上げることにより、ラッチプレート３ａは回動し、図４（ｂ）に示されるように、突起部３ａ１は、ホルダー１ａの上面に乗る。この状態で、ホルダー１ａを挿入穴２ａにさらに挿入していくと、図４（ｃ）に示されるように、突起部３ａ１，３ａ２がホルダー１ａの孔部１ａ３に挿入される。この状態でホルダー１ａを挿入穴２ａから引き抜こうとしても、突起部３ａ１，３ａ２が孔部１ａ３に引っ掛かるので、ホルダー１ａを引き抜くことはできない。尚、図４（ｃ）の状態になると、ホトインタラプタ１０の検出部１０ａ，１０ｂ間の光線が遮られるので、ホルダー１ａが挿入穴２ａに挿入されたことが検知される。
【００１５】
次に、図５を参照しながら、ホルダー１ａを鍵管理機から抜き出す動作について説明する。例えば、ホルダー１ｂ（図１参照）を抜き出すことを、鍵管理機に設けられた図示しないボタン等を操作することにより設定する。すると、ソレノイド９の回動リンク５への間接的な作用により、ラッチプレート３ａ〜３ｅが回動し、それぞれの突起部がホルダー１ａ〜１ｅの孔部から引き抜かれる。図５（ａ）には、ラッチプレート３ａの突起部３ａ１，３ａ２がホルダー１ａの孔部１ａ３から引き抜かれた状態を示している。この状態は、全てのホルダー１ａ〜１ｅが挿入穴２ａ〜２ｅから抜き出し可能な状態である。従って、ホルダー１ｂを抜き出すことができる。
【００１６】
この状態で、設定とは異なるホルダー１ａを抜き出そうとする場合を考える。図５（ｂ）に示されるように、ホルダー１ａが抜き出され始めると、ホトインタラプタ１０の検出部１０ａ，１０ｂ間の光線が通るようになるので、ホルダー１ａが抜き出され始めたことが検知される。すると、設定とは異なるホルダーが抜き出されているので、ソレノイド９の作用が停止される。ソレノイド９の作用が停止されると、図５（ｃ）に示されるように、ラッチプレート３ａが回動し、突起部３ａ１が孔部１ａ３に挿入される。他方の突起部３ａ２は、ホルダー１ａの上面に乗る。この状態でホルダー１ａを抜き出そうとしても、突起部３ａ１が孔部１ａ３に引っ掛かるので、設定とは異なるホルダー１ａを抜き出すことはできない。ホルダー１ｃ〜１ｅを抜き出そうとした場合も同様である。
【００１７】
このように、ソレノイド９の作用により全てのホルダー１ａ〜１ｅが挿入穴２ａ〜２ｅから抜き出し可能な状態となっても、設定とは異なるホルダーが抜き出されようとした場合には、ソレノイド９の作用が停止されて、２つの突起部のうちの一方の突起部が孔部に挿入されて引っ掛かるようになるので、設定とは異なるホルダーを抜き出すことはできず、設定通りのホルダーだけしか抜き出すことはできない。従って、１つのソレノイド９だけで、鍵管理機における鍵管理解除装置が構成されるので、コストダウン及び省スペース化を実現させることができる。
【００１８】
この実施の形態では、５つのホルダーを有していたが、５つに限定するものではなく、いくつのホルダーを有するものであってもよい。
また、この実施の形態では、１つのソレノイド９だけで構成されていが、１つに限定するものではなく、例えば、ホルダー１ａ〜１ｃが１つのソレノイドの作用で抜き出し可能とすると共にホルダー１ｄ及び１ｅが他のソレノイドの作用で抜き出し可能としてもよい。このようにしても、それぞれのホルダーに対してソレノイドを設けた場合に比べてソレノイドの数を低減することができるので、コストダウン及び省スペース化を実現させることができる。
【００１９】
この実施の形態では、ソレノイド９の回動リンク５への間接的な作用によりラッチプレート３ａ〜３ｅが回動するようになっているが、この形態に限定するものではない。図６に示されるように、ソレノイド９が、連結片１６を介して回動リンク５に連結されており、ソレノイド９の作用が回動リンク５に直接伝わるような構成であってもよい。
【符号の説明】
【００２０】
１ａ，１ｂ，１ｃ，１ｄ，１ｅ  ホルダー（鍵管理部材）、１ａ３  （ホルダー１ａの）孔部、３ａ，３ｂ，３ｃ，３ｄ，３ｅ  ラッチプレート、３ａ１，３ａ２  （ラッチプレート３ａの）突起部、４  固定リンク（リンク部材）、５  回動リンク（リンク部材）、９  ソレノイド、１０  ホトインタラプタ（抜出検知手段）。
【図１】
2010270499.tif 000003
【図２】
2010270499.tif 000004
【図３】
2010270499.tif 000005
【図４】
2010270499.tif 000006
【図５】
2010270499.tif 000007
【図６】
2010270499.tif 000008